(57)【要約】【課題】事前許可を受けた供給地点の数を超えてガスメータが設置されることも発生しかねない。また、このことを把握するためには、定期的に各供給エリアに出向き、実際の供給地点とその数を確認する必要があり、現実的ではない。【解決手段】コンピューティングシステムを用いて、簡易ガスの供給地点の設置時または任意のタイミングで、供給エリアに対する供給地点数をチェックし、許可済みの供給地点数を超えている場合にエラー通知を送信する。【選択図】図２
2019101804.tif 000002
【特許請求の範囲】
【請求項１】
簡易ガスの供給地点登録チェックを行なうコンピュータによって実行される方法であって、
前記コンピュータが、前記簡易ガスの供給地点を設置する作業者が使用する作業者端末から、前記供給地点に係る需要家データを受信するステップと、
前記コンピュータが、前記需要家データに基づいて、前記供給地点が含まれる供給エリアにおける許可済み供給地点数を取得するステップと、
前記コンピュータが、前記供給エリアにおける供給地点数を算出するステップと、
前記コンピュータが、前記算出した供給地点数が前記取得した許可済み供給地点数未満か否かを判定するステップと、
前記算出した供給地点数が前記取得した許可済み供給地点数未満でないと判定した場合、前記コンピュータが、前記需要家データに係る需要家を前記簡易ガスの供給先として登録するステップと
を備えたことを特徴とする方法。
【請求項２】
前記供給地点数を算出するステップは、前記供給エリアにおける需要家数をカウントすることにより前記供給地点数を算出するステップを含むことを特徴とする請求項１に記載の方法。
【請求項３】
前記コンピュータが、前記作業者端末に前記判定するステップの結果を送信するステップをさらに備えたことを特徴とする請求項１または２に記載の方法。
【請求項４】
簡易ガスの供給地点登録チェックを行なうコンピュータによって実行される方法であって、
前記コンピュータが、前記簡易ガスに係るガス事業者の管理者が使用する管理者端末から、前記簡易ガスの供給地点数のチェック指示を受信するステップと、
前記コンピュータが、前記チェック指示に基づいて、チェック対象の１または複数の供給エリアにおける許可済み供給地点数を取得するステップと、
前記コンピュータが、前記１または複数の供給エリアにおける供給地点数を算出するステップと、
前記コンピュータが、前記算出した供給地点数が前記取得した許可済み供給地点数以内か否かを判定するステップと、
前記コンピュータが、前記管理者端末に前記判定するステップの結果を送信するステップと
を備えたことを特徴とする方法。
【請求項５】
簡易ガスの供給地点登録チェックを行なうコンピュータであって、
前記簡易ガスの供給地点を設置する作業者が使用する作業者端末から、前記供給地点に係る需要家データを受信し、
前記需要家データに基づいて、前記供給地点が含まれる供給エリアにおける許可済み供給地点数を取得し、
前記供給エリアにおける供給地点数を算出し、
前記算出した供給地点数が前記取得した許可済み供給地点数未満か否かを判定し、
前記算出した供給地点数が前記取得した許可済み供給地点数未満でないと判定した場合、前記需要家データに係る需要家を前記簡易ガスの供給先として登録する
ように構成されたことを特徴とするコンピュータ。
【請求項６】
簡易ガスの供給地点登録チェックを行なうコンピュータに実行させるコンピュータプログラムであって、前記コンピュータプログラムは前記コンピュータによって実行されると、
前記簡易ガスの供給地点を設置する作業者が使用する作業者端末から、前記供給地点に係る需要家データを受信するステップと、
前記需要家データに基づいて、前記供給地点が含まれる供給エリアにおける許可済み供給地点数を取得するステップと、
前記供給エリアにおける供給地点数を算出するステップと、
前記算出した供給地点数が前記取得した許可済み供給地点数未満か否かを判定するステップと、
前記算出した供給地点数が前記取得した許可済み供給地点数未満でないと判定した場合、前記需要家データに係る需要家を前記簡易ガスの供給先として登録するステップと
を前記コンピュータに実行させることを特徴とするコンピュータプログラム。
【発明の詳細な説明】
【技術分野】
【０００１】
本発明は、供給地点登録チェック方法、コンピュータおよびプログラムに関する。より詳細には、コンピューティングシステムを用いて、簡易ガスの供給地点の設置時または任意のタイミングで、供給エリアに対する供給地点数をチェックし、許可済みの供給地点数を超えている場合にエラー通知を送信することができる方法、コンピュータおよびプログラムに関する。
【背景技術】
【０００２】
液化石油（ＬＰ）ガスの供給方式の１つに簡易ガス供給方式がある。簡易ガス供給は、簡易的なガス発生設備（以下、「供給設備」という）から導管を通して７０戸以上の消費者（以下、「需要家」という）に供給される。ここで、需要家に供給される地点は「供給地点」と呼ばれガスメータが取り付けられる。また、ガス事業者が簡易ガスによる事業（供給）を開始するためには、供給地点群（複数の供給地点を含むエリア。以下、「供給エリア」という）と供給エリアに含まれる供給地点の数とに対して経済産業大臣の許可を受けなければならないことがガス事業法によって規定されている。さらに、ガス事業法は、供給地点やその数に変更がある場合も経済産業大臣の許可を受ける必要があることを規定している。そのため、ガス事業者は、事前許可を受けた供給エリアごとに供給地点とその数を管理部門などによって管理する必要がある。
【発明の概要】
【発明が解決しようとする課題】
【０００３】
しかしながら、実際に供給地点にガスメータを設置するのは管理部門とは別の現場部門の作業者によって行なわれる。そのため、事前許可を受けた供給地点の数を超えてガスメータが設置されることも発生しかねない。また、管理部門がこのことを把握するためには、定期的に各供給エリアに出向き、実際の供給地点とその数を確認する必要があり、現実的ではない。そこで、事前許可を受けた供給地点の数を超えてガスメータが設置されないような仕組みが求められている。さらに、管理部門が、定期的に供給エリアごとに供給地点とその数を確認できる仕組みも求められている。また、ガスメータは１つの需要家に対して１つ設置され、ガスメータの設置場所と需要家の住所は同一であることから、需要家と供給エリアとを関連付けて管理することにより、供給エリアごとの供給地点とその数を管理することができると考えられる。
【０００４】
本発明はこのような問題に鑑みてなされたものであり、その目的とするところは、コンピューティングシステムを用いて、簡易ガスの供給地点の設置時または任意のタイミングで、供給エリアに対する供給地点数をチェックし、許可済みの供給地点数を超えている場合にエラー通知を送信することにある。
【課題を解決するための手段】
【０００５】
本発明の一態様は、このような目的を達成するために、簡易ガスの供給地点登録チェックを行なうコンピュータによって実行される方法であって、
前記コンピュータが、前記簡易ガスの供給地点を設置する作業者が使用する作業者端末から、前記供給地点に係る需要家データを受信するステップと、
前記コンピュータが、前記需要家データに基づいて、前記供給地点が含まれる供給エリアにおける許可済み供給地点数を取得するステップと、
前記コンピュータが、前記供給エリアにおける供給地点数を算出するステップと、
前記コンピュータが、前記算出した供給地点数が前記取得した許可済み供給地点数未満か否かを判定するステップと、
前記算出した供給地点数が前記取得した許可済み供給地点数未満でないと判定した場合、前記コンピュータが、前記需要家データに係る需要家を前記簡易ガスの供給先として登録するステップと
を備えたことを特徴とする。
【０００６】
また、本発明の一態様に記載の方法において、前記供給地点数を算出するステップは、前記供給エリアにおける需要家数をカウントすることにより前記供給地点数を算出するステップを含むことを特徴とする。
【０００７】
さらに、本発明の一態様に記載の方法は、前記コンピュータが、前記作業者端末に前記判定するステップの結果を送信するステップをさらに備えたことを特徴とする。
【０００８】
また、本発明の別の態様は、簡易ガスの供給地点登録チェックを行なうコンピュータによって実行される方法であって、
前記コンピュータが、前記簡易ガスに係るガス事業者の管理者が使用する管理者端末から、前記簡易ガスの供給地点数のチェック指示を受信するステップと、
前記コンピュータが、前記チェック指示に基づいて、チェック対象の１または複数の供給エリアにおける許可済み供給地点数を取得するステップと、
前記コンピュータが、前記１または複数の供給エリアにおける供給地点数を算出するステップと、
前記コンピュータが、前記算出した供給地点数が前記取得した許可済み供給地点数以内か否かを判定するステップと、
前記コンピュータが、前記管理者端末に前記判定するステップの結果を送信するステップと
を備えたことを特徴とする。
【０００９】
さらに、本発明の別の態様は、簡易ガスの供給地点登録チェックを行なうコンピュータであって、
前記簡易ガスの供給地点を設置する作業者が使用する作業者端末から、前記供給地点に係る需要家データを受信し、
前記需要家データに基づいて、前記供給地点が含まれる供給エリアにおける許可済み供給地点数を取得し、
前記供給エリアにおける供給地点数を算出し、
前記算出した供給地点数が前記取得した許可済み供給地点数未満か否かを判定し、
前記算出した供給地点数が前記取得した許可済み供給地点数未満でないと判定した場合、前記需要家データに係る需要家を前記簡易ガスの供給先として登録する
ように構成されたことを特徴とする。
【００１０】
また、本発明の別の態様は、簡易ガスの供給地点登録チェックを行なうコンピュータに実行させるコンピュータプログラムであって、前記コンピュータプログラムは前記コンピュータによって実行されると、
前記簡易ガスの供給地点を設置する作業者が使用する作業者端末から、前記供給地点に係る需要家データを受信するステップと、
前記需要家データに基づいて、前記供給地点が含まれる供給エリアにおける許可済み供給地点数を取得するステップと、
前記供給エリアにおける供給地点数を算出するステップと、
前記算出した供給地点数が前記取得した許可済み供給地点数未満か否かを判定するステップと、
前記算出した供給地点数が前記取得した許可済み供給地点数未満でないと判定した場合、前記需要家データに係る需要家を前記簡易ガスの供給先として登録するステップと
を前記コンピュータに実行させることを特徴とする。
【発明の効果】
【００１１】
以上説明したように、本発明によれば、コンピューティングシステムを用いて、簡易ガスの供給地点の設置時または任意のタイミングで、供給エリアに対する供給地点数をチェックし、許可済みの供給地点数を超えている場合にエラー通知を送信することができる。
【図面の簡単な説明】
【００１２】
【図１】本発明の一実施形態に係るシステムの全体構成を示す図である。
【図２】本発明の一実施形態に係る供給地点登録チェック処理を示すフローチャートである。
【図３】本発明の一実施形態に係る供給地点一括チェック処理を示すフローチャートである。
【図４】本発明の一実施形態に係る需要家データ記憶部に格納されたデータを示す図である。
【図５】本発明の一実施形態に係る供給設備データ記憶部に格納されたデータを示す図である。
【図６】本発明の一実施形態に係る供給エリアデータ記憶部に格納されたデータを示す図である。
【発明を実施するための形態】
【００１３】
以下、添付した図面を参照して、本発明の実施形態に係るシステムを詳細に説明する。図１は、本発明の一実施形態に係るシステムの全体構成を示す図である。図１において、供給地点管理サーバ１００は、ネットワーク１０１（例えば、インターネット）を介して、作業者端末１０２および管理者端末１０３と通信を行なうように構成される。なお、図１では、供給地点管理サーバ１００を１つのサーバコンピュータとして表しているが、複数のサーバコンピュータによる分散型コンピューティングシステムとして構築することもできる。
【００１４】
作業者端末１０２は、簡易ガスの供給地点を設置する作業者が使用するコンピュータである。作業者端末１０２は、例えば、スマートフォンなどのモバイル端末であり、作業者が随時携帯し供給地点を設置する際などに作業現場で使用することができる。作業者は、供給地点を設置する際、作業者端末１０２を使用し、供給地点管理サーバ１００に対し供給地点（厳密には、供給先となる需要家）に関するデータを送信および登録する。また、作業者は、作業者端末１０２を介して供給地点の登録結果を受信する。
【００１５】
管理者端末１０３は、ガス事業者の管理部門の管理者が使用するコンピュータである。管理者端末１０３は、事業所に設置されたＰＣ端末であってもよいし、スマートフォンなどのモバイル端末であってもよい。管理者は、管理者端末１０３を使用し、供給地点管理サーバ１００に供給地点数のチェック指示を送信する。また、管理者は、管理者端末１０３を介して供給地点数のチェック結果を受信する。
【００１６】
供給地点管理サーバ１００は、ガス事業者によって管理され、データセンタなどに設置されたサーバコンピュータである。供給地点管理サーバ１００は、作業者端末１０２および管理者端末１０３からの要求に応じて、専用のアプリケーションやＷｅｂサイトを提供するように構成される。供給地点管理サーバ１００は、作業者端末１０２および管理者端末１０３からの要求に応じて、供給地点数のチェックを行なう。供給地点管理サーバ１００は、作業者端末１０２および管理者端末１０３に供給地点数のチェック結果を送信する。
【００１７】
次に、図１における供給地点管理サーバ１００の構成を詳細に説明する。供給地点管理サーバ１００は、システムバス１１５を介して相互に接続された、ＣＰＵ１１０、ＲＡＭ１１１、入力装置１１２、出力装置１１３、通信制御装置１１４、および記憶装置１１６を備えている。記憶装置１１６は不揮発性記憶媒体（ＲＯＭやＨＤＤなど）で構成され、本発明の供給地点チェック処理などに関連するソフトウェアプログラムを格納したプログラム格納領域と、当該ソフトウェアプログラムで取り扱うデータを格納したデータ格納領域とを備えている。後述するプログラム格納領域の各手段は、実際は独立したソフトウェアプログラム、そのルーチンやコンポーネントなどであり、記憶装置１１６に格納されている。各手段は、実行時にＣＰＵ１１０によって記憶装置１１６から呼び出されＲＡＭ１１１のワークエリアに展開されることで、データベースなどに適宜アクセスしながら各機能を発揮することができる。
【００１８】
図１の記憶装置１１６におけるプログラム格納領域に格納されたソフトウェアプログラムは、本発明に関連するものだけを列挙すると、供給地点登録処理部１２０および供給地点数チェック処理部１２１を備える。これらの手段は、ＣＰＵ１１０によって実行される。
【００１９】
図１の記憶装置１１６におけるデータ格納領域は、本発明に関連するものだけを列挙すると、需要家データ記憶部１３０、供給設備データ記憶部１３１、および供給エリアデータ記憶部１３２を備える。いずれも記憶装置１１６内に確保された一定の記憶領域である。
【００２０】
次に、図１の記憶装置１１６に格納された各手段の機能について説明する。図１の供給地点登録処理部１２０は、作業者端末１０２から需要家データを受信する。また、供給地点登録処理部１２０は、受信した需要家データに係る供給地点数チェック処理の結果がＯＫを示す場合、当該需要家データを需要家データ記憶部１３０に登録する。さらに、供給地点登録処理部１２０は、供給地点数チェック処理の結果を作業者端末１０２に通知する。
【００２１】
図１の供給地点数チェック処理部１２１は、作業者端末１０２から需要家データを受信すると、当該需要家データに係る供給地点数チェック処理を実行する。また、供給地点数チェック処理部１２１は、管理者端末１０３から供給地点数のチェック指示を受信すると、対象の供給エリアに対し供給地点数チェック処理を実行する。
【００２２】
次に、図１の記憶装置１１６の各記憶部に記憶されたデータについて説明する。図１の需要家データ記憶部１３０は、簡易ガスの供給先となる需要家に関するデータを格納する。図４は、本発明の一実施形態に係る需要家データ記憶部１３０に格納された需要家データを示す図である。
【００２３】
図４における需要家データは、需要家を一意に示す「需要家コード」、需要家の氏名を示す「氏名」、需要家宅の郵便番号を示す「郵便番号」、需要家宅の住所を示す「住所」、需要家の連絡先を示す「電話番号」および「メールアドレス」、ならびに需要家に対する簡易ガスの供給元である供給設備を一意に示す「供給設備コード」などを格納することができる。
【００２４】
図４における需要家データは、簡易ガスの供給先として需要家を登録する際などに生成されるマスタデータである。「需要家コード」は、例えば、本データのレコードが生成される度に採番されるシーケンス番号であってもよい。「供給設備コード」は、後述する供給設備データ（図５）との関連付けを行なうための外部キーである。なお、供給設備と、需要家や供給地点とは、１対多の関係である（需要家と供給地点は１対１の関係）。
【００２５】
図１の供給設備データ記憶部１３１は、簡易ガスの供給元である供給設備に関するデータを格納する。図５は、本発明の一実施形態に係る供給設備データ記憶部１３１に格納された供給設備データを示す図である。
【００２６】
図５における供給設備データには、供給設備を一意に示す「供給設備コード」、供給設備の容量を示す「容量」、供給設備の気化方式を示す「気化方式」、および供給設備によって簡易ガスが供給されるエリアを一意に示す「供給エリアコード」などを格納することができる。
【００２７】
図５における供給設備データは、簡易ガスの供給元である供給設備を設置する際などに生成されるマスタデータである。「供給設備コード」は、例えば、本データのレコードが生成される度に採番されるシーケンス番号である。「容量」の単位は、例えばｋｇ（キログラム）である。「気化方式」には、例えば、供給設備のガス容器表面の温度により自然に気化させる自然気化方式の場合は「０」、電気またはガスを使用してＬＰガスを強制的に気化させる強制気化方式の場合は「１」が設定される。「供給エリアコード」は、後述する供給エリアデータ（図６）との関連付けを行なうための外部キーである。なお、供給エリアと供給設備とは１対１の関係である。
【００２８】
図１の供給エリアデータ記憶部１３２は、供給設備による簡易ガスの供給範囲である供給エリアに関するデータを格納する。図６は、本発明の一実施形態に係る供給エリアデータ記憶部１３２に格納された供給エリアデータを示す図である。
【００２９】
図６における供給エリアデータには、供給エリアを一意に示す「供給エリアコード」、供給エリアの名称を示す「エリア名」、供給エリアに含まれる供給地点に対して経済産業大臣から許可を得た日付を示す「許可日」、許可された際に発行される許可番号を示す「許可番号」、ならびに許可された供給地点の数を示す「供給地点数」などを格納することができる。
【００３０】
図６における供給エリアデータは、供給設備を設置するために供給エリアに対して経済産業大臣から許可を得た際などに生成されるマスタデータである。「供給エリアコード」は、例えば、本データのレコードが生成される度に採番されるシーケンス番号である。「許可番号」は、経済産業大臣によって許可された際に発行される許可番号であり、経済産業省によって定められた番号体系による。
【００３１】
次に、図２のフローチャート、および図４−６のデータを参照して、本発明の一実施形態に係る供給地点登録チェック処理を流れに沿って説明する。図２は、本発明の一実施形態に係る供給地点登録チェック処理を示すフロー図である。本処理は、作業者が、ある需要家に対して新たに供給地点を設置する際、作業現場にて作業者端末１０２を使用して、当該需要家のデータを供給地点管理サーバ１００に送信するところから始まる。
【００３２】
まず、供給地点管理サーバ１００の供給地点登録処理部１２０は、作業者端末１０２から需要家データを受信する（ステップ２０１）。当該需要家データは、例えば、図４の需要家データにおける１レコード分のデータである。または、図４の需要家データにおける「供給設備コード」以外のデータは予め登録されており、作業者端末１０２から、新たに簡易ガスの供給先となる需要家の需要家コードと、供給元となる供給設備の供給設備コードとを受信することもできる。需要家コードや供給設備コードは、例えば、作業者端末１０２に表示された専用のアプリケーションやＷｅｂサイト上で需要者と供給設備を入力または選択することにより、指定される。いずれにせよ、ステップ２０１では需要家データとして、少なくとも、供給先となる需要家と供給元となる供給設備とを関連付けるデータを受信する。
【００３３】
次に、供給地点管理サーバ１００の供給地点数チェック処理部１２１は、ステップ２０１で受信した需要家データに基づいて、供給エリアデータ記憶部１３２から、対象供給エリアにおける許可済み供給地点数を取得する（ステップ２０２）。より具体的には、ステップ２０１で受信した需要家データにおける「供給設備コード」を検索キーとして、供給設備データ（図５）における「供給エリアコード」を取得する。さらに、取得した「供給エリアコード」を検索キーとして、供給エリアデータ（図６）における「（許可済み）供給地点数」を取得する。
【００３４】
次に、供給地点数チェック処理部１２１は、対象供給エリアの供給地点数を算出する（ステップ２０３）。より具体的には、ステップ２０１で受信した需要家データにおける「供給設備コード」を検索キーとして、需要家データ（図４）のレコード数をカウントする。これは、新たに供給地点を設置しようとしている供給エリアにおいて、既に供給地点として設置および登録されている需要家の数をカウントするものである。供給エリアと供給設備とは１対１の関係であり、新たに供給地点された需要家に対しては供給元となる供給設備が需要家データに「供給設備コード」として登録されるため、特定の「供給設備コード」を検索キーとしてレコード数をカウントすることで、特定の供給エリアの現在の供給地点数を算出することができる。
【００３５】
次に、供給地点数チェック処理部１２１は、ステップ２０３で算出した供給地点数（対象供給エリアの現在の供給地点数）と、ステップ２０２で取得した許可済み供給地点数（供給エリアデータ（図６）における「供給地点数」）とを比較し、対象供給エリアの現在の供給地点数が許可済み供給地点数未満か否かを判定する（ステップ２０４）。すなわち、対象供給エリアの現在の供給地点数が許可済み供給地点数未満であれば、新たに供給地点を設置することができる。逆に、対象供給エリアの現在の供給地点数が既に許可済み供給地点数に達している場合は、新たに経済産業大臣の許可を受けない限り、これ以上、対象供給エリアに対して供給地点を設置することはできない。
【００３６】
ステップ２０４にて、対象供給エリアの現在の供給地点数が許可済み供給地点数未満でないと判定された場合、Ｎｏルートに進み、供給地点登録処理部１２０は、作業者端末１０２に登録エラー通知を送信する（ステップ２０５）。登録エラー通知とは、例えば、対象供給エリアには新たに供給地点を設置できず、ステップ２０１で受信した需要家データに係る需要家を供給先として登録することはできない旨の通知である。ステップ２０５の後、本処理は終了する。
【００３７】
一方、ステップ２０４にて、対象供給エリアの現在の供給地点数が許可済み供給地点数未満であると判定された場合、Ｙｅｓルートに進み、供給地点登録処理部１２０は、ステップ２０１で受信した需要家データを需要家データ記憶部１３０に登録する（ステップ２０６）。また、供給地点登録処理部１２０は、作業者端末１０２に正常登録通知を送信する（ステップ２０７）。正常登録通知とは、例えば、ステップ２０１で受信した需要家データに係る需要家を供給先として登録することができた旨の通知である。ステップ２０７の後、本処理は終了する。
【００３８】
次に、図３のフローチャート、および図４−６のデータを参照して、本発明の一実施形態に係る供給地点一括チェック処理を流れに沿って説明する。図３は、本発明の一実施形態に係る供給地点一括チェック処理を示すフロー図である。本処理は、管理者が、管理者端末１０３を使用して、供給地点数のチェック指示を供給地点管理サーバ１００に送信するところから始まる。
【００３９】
まず、供給地点管理サーバ１００の供給地点数チェック処理部１２１は、管理者端末１０３から供給地点数のチェック指示を受信する（ステップ３０１）。供給地点数のチェック指示とは、供給エリアの許可済み供給地点数を超えて供給地点が登録されていないかをチェックするための指示である。供給地点数のチェックは、特定の供給エリアを指定してチェック対象を絞り込むこともできるし、全ての供給エリアを対象にチェックすることもできる。特定の供給エリアを指定する場合は、例えば、ステップ３０１で受信するチェック指示に、チェック対象の供給エリアコードを含めるなどして、供給エリアを指定することができる。
【００４０】
次に、供給地点数チェック処理部１２１は、供給エリアデータ記憶部１３２から、対象供給エリアにおける許可済み供給地点数を取得する（ステップ３０２）。より具体的には、ステップ３０１で受信したチェック指示においてチェック対象の供給エリアコードが指定されている場合は、当該供給エリアコードを検索キーとして、供給エリアデータ（図６）における「（許可済み）供給地点数」を取得する。一方、チェック対象が全ての供給エリアである場合は、供給エリアデータ（図６）から全ての「供給エリアコード」および「（許可済み）供給地点数」を取得する。
【００４１】
次に、供給地点数チェック処理部１２１は、対象供給エリアの供給地点数を算出する（ステップ３０３）。より具体的には、ステップ３０１で受信したチェック指示においてチェック対象の供給エリアコードが指定されている場合は、当該供給エリアコードを検索キーとして、供給設備データ（図５）における「供給設備コード」を取得する。さらに、取得した「供給設備コード」を検索キーとして、需要家データ（図４）のレコード数をカウントする。これにより、チェック対象の供給エリアの供給地点数を算出することができる。
【００４２】
一方、チェック対象が全ての供給エリアである場合は、ステップ３０２で取得した全ての「供給エリアコード」を検索キーとして、「供給エリアコード」ごとに、供給設備データ（図５）における「供給設備コード」を取得する。さらに、「供給エリアコード」ごとに取得した「供給設備コード」を検索キーとして、「供給設備コード」ごとに、需要家データ（図４）のレコード数をカウントする。これにより、供給エリアごとの供給地点数を算出することができる。
【００４３】
次に、供給地点数チェック処理部１２１は、ステップ３０３で算出した供給地点数（対象供給エリアの現在の供給地点数）と、ステップ２０２で取得した許可済み供給地点数（供給エリアデータ（図６）における「供給地点数」）とを比較し、対象供給エリアの現在の供給地点数が許可済み供給地点数以内か否かを判定する（ステップ３０４）。すなわち、対象供給エリアの現在の供給地点数が許可済み供給地点数を超えている場合は、是正措置（例えば、新たに経済産業大臣の許可を受ける）をとる必要がある。
【００４４】
一方、ステップ３０４にて、対象供給エリアの現在の供給地点数が許可済み供給地点数以内であると判定された場合、Ｙｅｓルートに進み、供給地点数チェック処理部１２１は、管理者端末１０３にエラー無し通知を送信する（ステップ３０５）。エラー無し通知とは、例えば、ステップ３０１で受信したチェック指示においてチェック対象の供給エリアコードが指定されている場合は、指定された供給エリアにおける供給地点数に問題はなかった旨の通知である。一方、チェック対象が全ての供給エリアである場合、エラー無し通知とは、例えば、全ての供給エリアにおける供給地点数に問題はなかった旨の通知である。ステップ３０５の後、本処理は終了する。
【００４５】
一方、ステップ３０４にて、対象供給エリアの現在の供給地点数が許可済み供給地点数以内でないと判定された場合、Ｎｏルートに進み、供給地点数チェック処理部１２１は、管理者端末１０３にエラーエリア通知を送信する（ステップ３０６）。エラーエリア通知とは、例えば、ステップ３０１で受信したチェック指示においてチェック対象の供給エリアコードが指定されている場合は、指定された供給エリアにおける供給地点数に問題がある旨の通知である。一方、チェック対象が全ての供給エリアである場合、エラーエリア通知とは、例えば、供給地点数に問題があった供給エリアリスト（問題がある供給エリアが複数である可能性もある）の通知である。ステップ３０６の後、本処理は終了する。
【００４６】
以上により、本発明によれば、コンピューティングシステムを用いて、簡易ガスの供給地点の設置時または任意のタイミングで、供給エリアに対する供給地点数をチェックし、許可済みの供給地点数を超えている場合にエラー通知を送信することができる。
【図１】
2019101804.tif 000003
【図２】
2019101804.tif 000004
【図３】
2019101804.tif 000005
【図４】
2019101804.tif 000006
【図５】
2019101804.tif 000007
【図６】
2019101804.tif 000008
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
簡易ガスの供給地点登録チェックを行なうコンピュータによって実行される方法であって、
前記コンピュータが、前記簡易ガスの供給地点を設置する作業者が使用する作業者端末から、前記供給地点に係る、前記コンピュータのメモリに予め記憶された需要家データを受信するステップと、
前記コンピュータが、前記需要家データに基づいて、前記メモリに予め記憶された供給エリアデータから、前記供給地点が含まれる対象供給エリアにおける許可済み供給地点数を取得するステップと、
前記コンピュータが、前記需要家データにおける前記対象供給エリアの需要家数をカウントすることにより、前記対象供給エリアにおける供給地点数を算出するステップと、
前記コンピュータが、前記算出した供給地点数が前記取得した許可済み供給地点数未満か否かを判定するステップと、
前記算出した供給地点数が前記取得した許可済み供給地点数未満であると判定した場合、前記コンピュータが、前記需要家データに係る需要家を前記簡易ガスの供給先として登録するステップと
を備えたことを特徴とする方法。
【請求項２】
前記コンピュータが、前記作業者端末に前記判定するステップの結果を送信するステップをさらに備えたことを特徴とする請求項１に記載の方法。
【請求項３】
簡易ガスの供給地点登録チェックを行なうコンピュータによって実行される方法であって、
前記コンピュータが、前記簡易ガスに係るガス事業者の管理者が使用する管理者端末から、前記簡易ガスの供給地点数のチェック指示を受信するステップと、
前記コンピュータが、前記チェック指示に基づいて、前記コンピュータのメモリに予め記憶された供給エリアデータから、チェック対象の１つまたは複数の供給エリアにおける許可済み供給地点数を取得するステップと、
前記コンピュータが、前記１つまたは複数の供給エリアにおける供給地点数を算出するステップと、
前記コンピュータが、前記算出した供給地点数が前記取得した許可済み供給地点数以内か否かを判定するステップと、
前記コンピュータが、前記管理者端末に前記判定するステップの結果を送信するステップと
を備えたことを特徴とする方法。
【請求項４】
簡易ガスの供給地点登録チェックを行なうコンピュータであって、
前記簡易ガスの供給地点を設置する作業者が使用する作業者端末から、前記供給地点に係る、前記コンピュータのメモリに予め記憶された需要家データを受信し、
前記需要家データに基づいて、前記メモリに予め記憶された供給エリアデータから、前記供給地点が含まれる供給エリアにおける許可済み供給地点数を取得し、
前記供給エリアにおける供給地点数を算出し、
前記算出した供給地点数が前記取得した許可済み供給地点数未満か否かを判定し、
前記算出した供給地点数が前記取得した許可済み供給地点数未満であると判定した場合、前記需要家データに係る需要家を前記簡易ガスの供給先として登録する
ように構成されたことを特徴とするコンピュータ。
【請求項５】
簡易ガスの供給地点登録チェックを行なうコンピュータに実行させるコンピュータプログラムであって、前記コンピュータプログラムは前記コンピュータによって実行されると、
前記簡易ガスの供給地点を設置する作業者が使用する作業者端末から、前記供給地点に係る、前記コンピュータのメモリに予め記憶された需要家データを受信するステップと、
前記需要家データに基づいて、前記メモリに予め記憶された供給エリアデータから、前記供給地点が含まれる供給エリアにおける許可済み供給地点数を取得するステップと、
前記供給エリアにおける供給地点数を算出するステップと、
前記算出した供給地点数が前記取得した許可済み供給地点数未満か否かを判定するステップと、
前記算出した供給地点数が前記取得した許可済み供給地点数未満であると判定した場合、前記需要家データに係る需要家を前記簡易ガスの供給先として登録するステップと
を前記コンピュータに実行させることを特徴とするコンピュータプログラム。